(57)【特許請求の範囲】
【請求項１】
流体の供給手段から供給される流体が流通しているか否かを指示する指示計であって、内部がテーパ状に形成された透明な管と該管の内部に配置された断面が円形の浮きとからなる流体の流れを指示する指示部材と、前記指示部材を保持する保持部と指示部材の内径の大きい端部側と同方向の端部に設けた流体の供給手段に対して着脱可能に装着する装着部と前記方向の反対側の端部に設けた流体を供給すべき被供給手段を取り付ける取付部とを有する本体と、を有し、前記本体には該本体に設けた装着部から指示部材の内径の小さい端部に至り指示部材の内径の大きい端部から該本体に設けた取付部に至る流体の流路が設けられていることを特徴とする指示計。
【請求項２】
前記本体が、同一形状に形成された一対の本体部材を接続して構成され、各本体部材には、指示部材の一方の端部を嵌合する指示部材嵌合部と、前記指示部材嵌合部の中心を通る線に対称な位置に設けた一対の流路と、前記一対の流路のうち一方の流路と前記指示部材嵌合部を連続させる連通路と、前記一対の流路のうち他方の流路と接続される装着部又は取付部となる開口部と、前記指示部材嵌合部の中心を通る線に対称に且つ前記一対の流路の中心を結ぶ線と平行な線上に設けた一対の穴と、前記一対の穴のうち一方の穴に形成した雌ねじと、前記一対の穴のうち他方の穴に形成したねじを通すねじ穴と、を有するものであることを特徴とする請求項１に記載した指示計。
【請求項３】
前記流体の供給手段が、径の異なる複数のオリフィスを設けたセレクターと、前記セレクターを回転させるハンドルと、流体の供給部とを有し、前記ハンドルを操作してセレクターのオリフィスを選択することでガス流体を所定の圧力で供給部から供給し得るように構成されたものであり、前記供給部に請求項１又は２に記載した指示計の装着部を装着して前記流体の供給手段からガス流体が供給されているか否かを指示し得るように構成したことを特徴とするガス流体の供給装置。
【発明の詳細な説明】
【技術分野】
【０００１】
本発明は、流体が流れているか否かを指示する指示計と、この指示計とガス流体の供給手段とを組み合わせたガス流体の供給装置とに関するものである。
【背景技術】
【０００２】
流体、例えばガス流体の流量を人が目視して測定し得るように構成した器具として、内部がテーパ状に形成され且つ外周面に流量に対応させた目盛を形成した透明な管（ガラス管や合成樹脂管）と、この管の内部に配置され測定すべきガス流体に応じた質量を有し且つガス流体の流量に応じて昇降する断面が円形の浮きと、を有するフローメーターがある。このフローメーターでは、管を鉛直に設置し、該管の下端側に予め一定の圧力に設定されたガス流体を供給し、浮きの上昇位置の目盛を視認することで流量を測定することが可能である。
【０００３】
医療分野では、患者に医療用酸素を吸引させる治療を行うことがあり、この場合、供給すべき酸素ガスの流量を厳密に管理する必要がある。このため、医療用の酸素吸入器は酸素ガスの流量調整機能を有して構成されている。例えば、酸素吸入器として、水を保持したタンクと、酸素ボンベ又は屋内の酸素配管に取り付けた圧力調整器と接続され前記タンクの底に接近した部位で開口する供給パイプと、タンクの上部に設けたキャップに形成されニードル弁とフローメーターと患者への供給口とを有する酸素ガスの流路と、を有して構成されたものがある。
【０００４】
上記酸素吸入器では、酸素ボンベ又は酸素配管の一次圧を圧力調整器によって所定の圧力（フローメーターに於ける設定圧力）に減圧しておき、ニードル弁を開くことによって、酸素ガスは圧力調整器から供給パイプを通って水中で開放され、泡となって浮上してタンク内を満たし、ニードル弁からフローメーターを経て供給口から患者に供給される。このとき、酸素ガスの流量はニードル弁の開度によって調整される。また酸素ガスの流れは水中の泡、フローメーターに於ける浮きの浮上によって視認される。この酸素吸入器では、酸素ガスの流量が視認し易いように、フローメーターは透明な筒体に挿入されてキャップの上端部から突出して設けられるのが一般的である。
【０００５】
一方、正確な酸素ガスの流量を確保し得る器具として、特許文献１に記載された流量調整装置が提案されている。この流量調整装置は、一次圧を減圧する機構を有し、減圧された圧力でガス流体を供給する供給孔と、供給孔に対向させて径の異なる複数のオリフィスを設けたセレクターと、を有して構成されている。そして、セレクターを回転させて選択したオリフィスを供給孔に対向させることによって、選択されたオリフィスに応じた正確な流量のガス流体を供給することが可能である。
【０００６】
【特許文献１】特開平１−１６８３３０号公報
【発明の開示】
【発明が解決しようとする課題】
【０００７】
フローメーターでは、流量は浮きと管のテーパ状の内面との隙間の面積に応じた値として測定されるため、管が傾くと正確な流量を測定し得ないという問題がある。即ち、上記酸素吸入器では、正確な酸素ガスの流量を管理するにはフローメーターの管を正確に鉛直に設置することが必要であるが、実務面から見てこのように設置することは困難であり、測定した流量は目安に過ぎないという問題がある。また、フローメーターは流体の流量を測定するものであり、測定するためのレンジを広くとることが必要なため、必然的に長くなり、大型化してしまうという問題がある。
【０００８】
また特許文献１の流量調整装置では、患者に医療用酸素を吸引させる治療を行う際に、正確な流量を設定することができる。しかし、流量調整装置から患者に直接酸素ガスを供給した場合、現に酸素ガスが流れているか否かを視認することができないという問題がある。
【０００９】
このため、酸素ガスが流通しているか否かを視認し得るような指示計であって、簡単な構造で且つコンパクトな構造を持った指示計を開発することが要求されている。
【００１０】
本発明の目的は、流体が流通しているか否かを簡単な構造で視認することができる指示計と、この指示計を利用したガス流体の供給装置を提供することにある。
【課題を解決するための手段】
【００１１】
上記課題を解決するために本発明に係る指示計は、流体の供給手段から供給される流体が流通しているか否かを指示する指示計であって、内部がテーパ状に形成された透明な管と該管の内部に配置された断面が円形の浮きとからなる流体の流れを指示する指示部材と、前記指示部材を保持する保持部と指示部材の内径の大きい端部側と同方向の端部に設けた流体の供給手段に対して着脱可能に装着する装着部と前記方向の反対側の端部に設けた流体を供給すべき被供給手段を取り付ける取付部とを有する本体と、を有し、前記本体には該本体に設けた装着部から指示部材の内径の小さい端部に至り指示部材の内径の大きい端部から該本体に設けた取付部に至る流体の流路が設けられているものである。
【００１２】
上記指示計に於いて、本体が、同一形状に形成された一対の本体部材を垂直方向に接続して構成され、各本体部材には、指示部材の一方の端部を嵌合する指示部材嵌合部と、前記指示部材嵌合部の中心を通る線に対称な位置に設けた一対の流路と、前記一対の流路のうち一方の流路と前記指示部材嵌合部を連続させる連通路と、前記一対の流路のうち他方の流路と接続される装着部又は取付部となる開口部と、前記指示部材嵌合部の中心を通る線に対称に且つ前記一対の流路の中心を結ぶ線と平行な線上に設けた一対の穴と、前記一対の穴のうち一方の穴に形成した雌ねじと、前記一対の穴のうち他方の穴に形成したねじを通すねじ穴とを有するものであることが好ましい。
【００１３】
また本発明に係るガス流体の供給装置は、流体の供給手段が、径の異なる複数のオリフィスを設けたセレクターと、前記セレクターを回転させるハンドルと、流体の供給部とを有し、前記ハンドルを操作してセレクターのオリフィスを選択することでガス流体を所定の圧力で供給部から供給し得るように構成されたものであり、前記供給部に請求項１又は２に記載した指示計の装着部を装着して前記流体の供給手段からガス流体が供給されているか否かを指示し得るように構成したものである。
【発明の効果】
【００１４】
上記した本発明の指示計では、内部がテーパ状に形成された管の内径が大きい端部を上（以下この方向を「上部」又は「上部側」のようにいう）に、内径が小さい端部を下（以下この方向を「下部」又は「下部側」のようにいう）にした略鉛直方向になるように本体に保持し、該本体の上部に設けた装着部を流体の供給手段に装着すると共に下部に設けた取付部に被供給手段を取り付けることによって、指示部材を略鉛直方向に設置することができる。この状態で流体を供給すると、装着部から供給された流体は本体の内部に設けた流路を通って指示部材の下部から上部を経て取付部から被供給手段に供給される。流体が指示部材を流通する過程で浮きが浮上し、流体が流れていることを指示することができる。
【００１５】
上記指示部材は、流量を測定するものではないため、テーパ角度は大きくて良く、浮きと管の内面との隙間を厳密に設定する必要はなく且つ目盛を設ける必要もない。更に、指示部材の管の長さは短くて良く、コンパクトなものとすることができる。また指示部材が流量を測定するものではないため、該指示部材を正確に鉛直に設置しておく必要がなく、設置姿勢の自由度が向上して取り扱いが容易となる。
【００１６】
特に、本体が同一形状に形成された一対の本体部材を接続して構成されることから、本発明の指示計を構成する部品としては、一対の本体部材と、指示部材とで良く、構造は極めて簡単となる。
【００１７】
また本発明に係るガス流体の供給装置は、上記した指示計の何れかを利用し、この指示計を、異なる径を持った複数のオリフィスを設けたセレクターをハンドルで回転させることで、供給部から所定の流量のガスを供給し得るように構成した供給手段に装着したので、該供給手段によってガスの流量を保証することができ、且つ指示計によってガスが流通しているか否かを視認することができる。
【発明を実施するための最良の形態】
【００１８】
以下、本発明に係る指示計及びガス流体の供給装置の好ましい実施形態について説明する。本発明の指示計は、目的の系を流体が現に流れているか否か、を周囲の人が容易に視認し得るようにしたものである。従って、流れている流体の流量を測定することを目的とするものではなく、流量を設定するための機構は別に設ける必要がある。
【００１９】
本発明に於いて、指示計が指示し得る流体は液体或いは気体の何れであっても良く、目的の流体の質量等の仕様に対応させて浮きの大きさや質量を設定することが好ましい。また指示し得る流体の流量も限定すべきものではなく、目的の系に於ける最大流量を満足し得るように管の最大内径と浮きの直径を設定することが好ましい。
【００２０】
指示計を構成する指示部材の管は、該指示計が流量の測定を行うものではないため、下端部分の径（入口径）と上端部分の径（出口径）が設定された流量を満足し得る値であれば良く、上下端部間の距離（テーパ角度）を限定する必要はない。従って、管の長さは可及的に短くすることが好ましく、このように短い管を利用することによって、コンパクトな指示計を実現することが可能となる。
【００２１】
本発明の指示計は、流体の流れを指示する指示部材と、該指示部材を保持する本体と、によって構成されている。前記指示部材は、上下両端部分が本体に保持されることで、該本体に構成された流路と接続している。このため、本体は、指示部材を保持する機能と、流路を構成する機能と、流体を供給する供給手段に装着される機能と、流体の被供給手段を取り付ける機能とを有しており、これらの複数の機能を簡単な構造で実現することが好ましい。
【００２２】
このため、本発明の指示計では、本体を同一の形状を持った二つの本体部材を転回させた状態で互いに接続して構成している。これにより、部品の点数を削減することが可能であり、且つ単純な構造で小型化を実現することが可能となる。
【００２３】
本発明のガス流体の供給装置は、ガス流体の流量調整装置と指示計とを組み合わせて構成したものであり、特に、流量調整装置は、径の異なる複数のオリフィスを設けたセレクターをハンドルによって回転させることで、オリフィスを選択し、これにより、ガス流体を所定の圧力とオリフィスに応じた流量で供給し得るように構成されたものである。このため、流量を調整する際に、例えばフローメーター等の流量測定部材を監視しながら操作する必要がなく、単にオリフィスを選択するのみで良い。従って、簡単な操作で確実な流量を確保することが可能である。
【００２４】
本発明に於けるガス流体の流量調整装置を如何なるガスの供給手段として利用するかは限定するものではなく、医療用の酸素ガスや他のガスを対象として利用することが可能である。このため、流量調整装置の一次側の取付構造は、目的のガスを充填したガスボンベに直接取り付けることが可能なように構成することが可能であり、或いは屋内配管に接続し得るように構成することが可能である。更に、医療用に構成する場合には、病室毎に設けた集中取出口（アウトレット）に直接取り付けることが可能なように構成することも可能である。
【実施例１】
【００２５】
以下、指示計の好ましい実施例について図を用いて説明する。図１は指示計の構成を説明する正面図と側面断面図である。図２は本体部材の構成を説明する図である。
【００２６】
図１に示す指示計Ａは、流体として医療用酸素を対象として構成されており、酸素の供給手段（後述する酸素の流量調整装置Ｂ）に装着され、該供給手段から酸素が供給されて流れているか否かを指示する指示部材１０と、この指示部材１０を保持すると共に上部に供給手段に装着される装着部２０と下部に被供給手段を取り付ける取付部３０を設け、更に、内部に酸素が流通する流路４０を設けた本体５０とによって構成されている。
【００２７】
指示部材１０は、周囲にいる人が指示計Ａを酸素が流れているか否かを視認するための部材であり、内部がテーパ状に形成された透明な管１１と、管１１の内部に配置された浮き１２と、を有して構成されている。この指示部材１０は本体５０に保持され、該本体５０が流量調整装置Ｂに装着されたとき、略鉛直方向の姿勢を保持し得るように構成されている。
【００２８】
管１１の内面１１ａに構成されたテーパの角度は１０．８８度（テーパ５．４４度）を有しており、流体の流量を測定するためのフローメーターを構成する管の内面のテーパ角度が０．５度（テーパ０．２５度）であるのと比較して充分に大きい角度を有している。そして、このようにテーパ角度を大きくとることによって、管１１の長さをフローメーターを構成する管の長さと比較して充分に短くしている。管１１は、上下両端が本体５０に設けた保持部に嵌合した状態で保持されており、軸心１１ｂが本体５０に設定された長手方向の基準線５１と平行になるように設定されている。
【００２９】
また浮き１２は球状に構成されており、指示部材１０に酸素が供給されたとき、この酸素によって管１１内を浮上し得るように構成されている。浮き１２は、管１１の外部から視認し易いような形状、或いは色を有することが好ましい。このため、本実施例では、浮き１２を赤色の球によって構成している。
【００３０】
管１１の上端部分にはストッパー１３が配置されており、該ストッパー１３によって浮き１２の浮上限界が設定されている。また管１１の上下端部には夫々Ｏリング１４が配置され、指示部材１０と本体５０との間から酸素がリークすることを防止し得るように構成されている。
【００３１】
装着部２０は指示計Ａの上部に配置され、本体５０の上部所定位置に螺合して固定されており、酸素の供給手段に対し着脱可能に装着される機能を有するものである。このため、装着部２０は、酸素の供給手段に於ける供給部の構造と対をなした構造を持って構成される。
【００３２】
本実施例では、酸素の供給手段が後述する流量調整器Ｂであり、この流量調整器Ｂの供給部が内部にテーパ面を有し外面に雄ねじを有する部材によって構成されているため、装着部２０は、先端部分にテーパ面２１ａが、他端部分に本体５０に螺合するねじ部２１ｂが構成されたターミナル２１と、袋ナット２２とを有して構成されている。
【００３３】
尚、ターミナル２１のテーパ面２１ａ及びねじ部２１ｂの先端部分にはＯリング２３が取り付けられており、指示計Ａを流量調整器Ｂに装着したとき、装着部２０から酸素がリークすることを防止し得るように構成されている。
【００３４】
取付部３０は指示計Ａの下部に配置され、本体５０の下部所定位置に螺合して固定されており、指示計Ａを通過した酸素を供給する被供給手段を取り付ける機能を有するものである。この被供給手段としては特に構造を限定するものではなく、患者が酸素を吸引するためのカニューラやマスクがある。例えば、被供給手段がカニューラ（図示せず）の場合、該カニューラにホース或いはチューブが接続されて延長されており、取付部３０はこのホース或いはチューブを着脱可能に取り付ける機能を有するものである。
【００３５】
本実施例では、取付部３０はホース差し３１によって構成されている。ホース差し３１は一方側が複数のテーパ部が直列した形状に構成された差し込み部３１ａとして形成され、他方の端部側には本体５０に螺合するねじ部３１ｂが形成されている。
【００３６】
尚、ホース差し３１のねじ部３１ｂの先端部分にはＯリング３２が取り付けられており、取付部３０と本体５０との間から酸素がリークすることを防止し得るように構成されている。
【００３７】
流路４０は、装着部２０を介して供給された酸素を指示部材１０を介して取付部３０に至る経路を持って構成されている。流路４０は、指示部材１０を基準として、本体５０の上部に設けた装着部２０のターミナル２１に接続し指示部材１０を構成する管１１の軸心１１ｂと平行に下部方向に向かう上流側縦流路４１と、該上流側縦流路４１と管１１の下端側を結ぶ上流側横流路４２と、管１１の上端部から横方向に形成された下流側横流路４３と、本体５０の下部に設けた取付部３０のホース差し３１に接続し管１１の軸心１１ｂと平行に上部方向に向かい下流側横流路４３と接続する下流側縦流路４４と、を有して構成されている。
【００３８】
本体５０は、指示部材１０を保持すると共に、上部に装着部２０が下部に取付部３０が夫々設けられ、更に、内部に流路４０が形成されて指示計Ａを構成している。このように構成された指示計Ａでは、装着部２０から供給された酸素は、上流側縦流路４１、上流側横流路４２を通って指示部材１０に至り、該指示部材１０を通過する際に浮き１２を浮上させる。その後、酸素は指示部材１０の上端部分から下流側横流路４３、下流側縦流路４４を経て取付部３０に至り、ホース差し３１に接続されたホースを経て患者に吸引される。
【実施例２】
【００３９】
次に、本体５０の具体的な構造について図２により説明する。尚、図に於いて、前述の実施例と同一の部分及び同一の機能を有する部分には同一の符号を付して説明を省略する。
【００４０】
本実施例に於いて、本体５０は、長手方向の中央で且つ基準線５１に対し直角方向の線で切断して一対の本体部材５２を構成し、この本体部材５２を互いに結合させることで構成されている。即ち、同一の形状を持った一対の本体部材５２を構成し、これらの本体部材５２を転回させて互いに結合することで、本体５０を構成している。従って、本体５０は、基準線５１上で且つ長手方向の中央の点を中心とする点対称に構成されている。
【００４１】
本体部材５２は、図２に示すように、本体５０の基準線５１上で且つ長手方向の中央で切断した面となる基準面５３を有しており、該基準面５３に上流側縦流路４１、下流側縦流路４４となる穴が開口している。そして、一対の本体部材５２を、基準面５３を対向させると共に指示部材１０を保持して締結したとき、保持部材１０を構成する管１１の小径側に接続する穴が上流側縦流路４１、上流側横流路４２として、管１１の大径側に接続する穴が下流側横流路４３、下流側縦流路４４としての機能を発揮する。
【００４２】
本体部材５２の正面５２ａ側には、指示部材１０の管１１を嵌合する嵌合穴５４が形成されている。嵌合穴５４は、嵌合した管１１が容易に離脱することがない程度で、且つ管１１の前面が内部に配置された浮き１２の浮上状態を容易に視認し得る程度に広く開放されるように構成されている。
【００４３】
更に、本体部材５２の基準面５３とは反対側の面には、装着部２０のターミナル２１或いは取付部３０のホース差し３１を螺合するねじ部５５が形成されている。そして、一対の本体部材５２を、基準面５３を夫々の正面５２ａを同一方向にして対向させると共に、夫々の本体部材５２に設けた嵌合穴５４に指示部材１０を嵌合させ、この状態で各本体部材５２を接近させると、互いの基準面５３に形成された縦流路４１，４４が対向し、且つ穴５７のリング状の突起５７ｃが穴５６のリング状の溝５６ｃに対向する。更に、一対の本体部材５２を接近させると、リング状の突起５７ｃがリング状の溝５６ｃに嵌合し、対向した本体部材５２の位置決めがなされる。
【００４４】
上記状態で、各本体部材５２の穴５７にねじ５８を挿通して対向する穴５７のねじ５７ｂに締結することで、一対の本体部材５２は強固に結合し、これに伴って指示部材１０の管１１も嵌合穴５４に保持される。
【００４５】
尚、一対の本体部材５２を結合したとき、基準面５３に形成された縦流路４１，４４の接合部分には夫々Ｏリング５９が取り付けられており、これにより、酸素のリークを防止することが可能である。
【００４６】
上記の如く、本実施例では、本体５０を同じ形状を持った一対の本体部材５２を結合させて構成することによって、簡単な構造を実現することが可能であり、部品を削減すると共に製造も容易である。
【実施例３】
【００４７】
次に、ガス流体の供給装置の構成について図３を用いて説明する。本実施例に於いて、ガス流体の供給装置（供給装置）は、患者に対して酸素を供給する際に、酸素が流れているか否かを容易に視認し得るようにしたものであり、流体の供給手段となる流量調整器Ｂに前述した指示計Ａを取り付けて構成したものである。
【００４８】
図に示す流量調整器Ｂは、病院に設けた屋内配管の端末を構成するアウトレットの酸素供給口に対しワンタッチで着脱し得るように構成されている。しかし、本発明では流体の供給手段が、アウトレットに装着し得るように構成することを限定するものではなく、通常の酸素ボンベに、或いは屋内配管のバルブに装着し得るように構成されたものであっても良いことは当然である。
【００４９】
流量調整器Ｂは、ケーシング６１の内部に減圧機構６２が構成されており、該減圧機構６２の二次圧室６３に径の異なる複数のオリフィスが形成されたセレクター６４が配置されると共にハンドル６５に一体的に取り付けられている。またケーシング６１の所定位置には供給孔６６が形成されており、該供給孔６６が指示計Ａを装着する供給部６７に接続されている。また、ケーシング６１の減圧機構６２側には図示しないアウトレットに装着されるアタッチメント６８が設けられている。
【００５０】
流量調整器Ｂは、アタッチメント６８をアウトレットに装着したとき、供給部６７が真下を向くように構成されており、この供給部６７に指示計Ａを装着することによって、該指示計Ａに配置された指示部材１０が略鉛直方向に設置される。
【００５１】
流量調整器Ｂの減圧機構６２は通常の圧力調整器と略同様な構造を持って構成されている。従って、アタッチメント６８を介して酸素が供給されると、供給された酸素はノズル６２ａ，シート６２ｂを通過することで減圧され、ピストン６２ｃに形成された孔を通過して二次圧室６３に供給される。
【００５２】
二次圧室６３にはセレクター６４が配置されており、セレクター６４の二次圧室６３の反対側に供給孔６６が設けられている。従って、ハンドル６５を操作してセレクター６４を回転させて所望の径のオリフィスを供給孔６６に対向させることで、供給部６７から供給し得る酸素の流量を設定することが可能である。
【００５３】
特に、この流量調整器Ｂでは、アウトレットに供給される酸素の一次圧の如何に関わらず、二次圧を一定にすることが可能である。このように、安定した二次圧を保証することが可能となることから、オリフィスの径に応じた正確な流量を保証することが可能となる。
【００５４】
上記の如く、流量調整器Ｂは、酸素の流量を調整する機能を有するものの、酸素が流れているか否かを確認する機能は有していない。このため、単に流量調整器Ｂのみを利用した患者に酸素を供給することは可能であるが、現に酸素が供給されているか否かを視認することができない。
【００５５】
供給部６７は内面にテーパ部６７ａが形成され、外周にねじ部６７ｂが形成されて構成されており、前述した指示計Ａの装着部２０を構成するターミナル２１のテーパ部２１ａをテーパ部６７ａに当接させ、袋ナット２２をねじ部６７ｂに締結することで、指示計Ａを流量調整器Ｂに一体化させてガス流体の供給装置を構成することが可能である。
【００５６】
上記の如く構成されたガス流体の供給装置では、流量調整器Ｂをアウトレットに装着した後、ハンドル６５を操作してセレクター６４に設けたオリフィスを選択して供給孔６６に対向させる。次いで、アウトレットに設けた弁機構を開放することで、予め所定の圧力に減圧された酸素が流量調整器Ｂに供給される。
【００５７】
流量調整器Ｂに供給された酸素は、減圧機構６２に於いて所定の二次圧に減圧されると共にオリフィスの径によって規定された流量で供給部６７から指示計Ａに供給される。指示計Ａに供給された酸素は、上流側縦流路４１、上流側横流路４２を経て指示部材１０の下端側に流通する。
【００５８】
指示部材１０を構成する管１１の下端に酸素が供給されると、該酸素の流量に従って浮き１２が浮上し、該浮き１２と管１１の内面１１ａとの間に形成される隙間を通して酸素が流れる。このとき、浮き１２の浮上によって、酸素が流れていることを確認することが可能である。また酸素は指示部材１０の上端部分から下流側横流路４３に流通する。
【００５９】
更に、指示部材１０を通過した酸素は、下流側横流路４３、下流側縦流路４４を流通して取付部３０に至り、該取付部３０を構成するホース差し３１に取り付けたホースを介してカニューラ或いはマスクに供給される。
【産業上の利用可能性】
【００６０】
本発明の指示計Ａは、流体が流れているか否かのみを視認し得るようにしたため、全体をコンパクトに構成することが可能であり、液体や気体の流れを確認するのに有利である。また本発明のガス流体の供給装置は、異なる径を持った複数のオリフィスを選択してガス流体の流量を調整するので、正確な流量を保証すると共にガスが流れているか否かを視認することが可能であり、精密な流量を設定することが必要な医療用酸素や実験用ガスの供給装置として有利である。
【図面の簡単な説明】
【００６１】
【図１】指示計の構成を説明する正面図と側面断面図である。
【図２】本体部材の構成を説明する図である。
【図３】ガス流体の供給装置の構成を説明する図である。
【符号の説明】
【００６２】
Ａ                      指示計
Ｂ                      流量調整装置
１０                    指示部材
１１                    管
１１ａ                  内面
１１ｂ                  軸心
１２                    浮き
１３                    ストッパー
１４                    Ｏリング
２０                    装着部
２１                    ターミナル
２１ａ                  テーパ面
２１ｂ                  ねじ部
２２                    袋ナット
２３                    Ｏリング
３０                    取付部
３１                    ホース差し
３１ａ                  差し込み部
３１ｂ                  ねじ部
３２                    Ｏリング
４０                    流路
４１                    上流側縦流路
４２                    上流側横流路
４３                    下流側横流路
４４                    下流側縦流路
５０                    本体
５１                    基準線
５２                    本体部材
５３                    基準面
５２ａ                  正面
５４                    嵌合穴
５５                    ねじ部
５６，５７              穴
５６ａ，５７ａ          ザグリ部
５６ｂ                  ねじ部
５６ｃ                  溝
５７ｂ                  ネジ穴
５７ｃ                  突起
５８                    ねじ
５９                    Ｏリング
６１                    ケーシング
６２                    減圧機構
６２ａ                  ノズル
６２ｂ                  シート
６２ｃ                  ピストン
６３                    二次圧室
６４                    セレクター
６５                    ハンドル
６６                    供給孔
６７                    供給部
６７ａ                  テーパ部
６７ｂ                  ねじ部
６８                    アタッチメント
【図１】
0004634251.tif 000002
【図２】
0004634251.tif 000003
【図３】
0004634251.tif 000004